(57)【特許請求の範囲】
【請求項１】
携帯電話機用ケースと、この携帯電話機用ケース内に収納された液晶表示部と、前記携帯電話機用ケース内に収納され、切り欠き部を形成した回路基板と、この回路基板の前記切り欠き部に装着され、外部から彩光した映像を光電変換する撮像装置と、この撮像装置を回動可能に前記回路基板に支持された回動機構部と、前記撮像装置と前記回路基板とを電気的に接続したリード部とを備え、前記回動機構部により前記液晶表示部に対する前面側から後面側まで撮像するようにした撮像装置搭載携帯電話機。
【請求項２】
前記回動機構部は、前記撮像装置に固定された回動機構軸とこの回動機構軸を枢支する回動機構軸受けとを有する請求項１に記載の撮像装置搭載携帯電話機。
【請求項３】
前記撮像装置は、前記液晶表示部に対する前面側と後面側との間の所定位置で保持する保持手段を備えた請求項２に記載の撮像装置搭載携帯電話機。
【発明の詳細な説明】
【０００１】
【発明の属する技術分野】
この発明は、レンズから彩光した映像を撮像素子により電気信号に変換する撮像装置を搭載した小型化・薄型化した撮像装置搭載携帯電話機に関するものである。
【０００２】
【従来の技術】
従来の撮像装置搭載携帯電話機については、図１７（Ａ）（Ｂ）に示すものがあった。図１７（Ａ）は、従来の撮像装置搭載携帯電話機の部分正面図である。図１７（Ａ）において、３は携帯電話機のフロント側ケース、３ａは撮像装置の前面開口部、５は液晶表示部である。図１７（Ｂ）は、図１７（Ａ）の側面断面図である。図１７（Ｂ）において、１は撮像装置、２は携帯電話の回路基板（マザーボード）、４はリア側ケース、３ｂは液晶表示部５の前面開口部である。撮像装置１は、回路基板２の基板面上に半田付け等により電気的に接続・搭載されている。図１８は、従来の撮像装置１の構成を示す断面図である。図１８において、１０１は撮像素子、１０１ａは撮像素子１０１上に構成された受光センサ部、１０２は撮像装置１の筐体を兼ねるレンズ鏡筒部、１０３はレンズ、１０４は撮像素子１０１が動作するための入出力用リード部、１０は入出力用リード部１０４が一体的に構成されたパッケージで、内部に撮像素子１０１を搭載している。９は入出力用リード１０４に電気的に接続されたボンデイングワイヤである。このような従来の撮像装置搭載携帯電話機では、撮像装置１と対向するフロント側ケース３の部分に彩光用の前面開口部３ａが設けられ、撮像装置１は前面開口部３ａを通じて彩光し、レンズ１０３により撮像した映像情報を電気信号に変換して携帯電話側に出力するように構成している。
【０００３】
【発明が解決しようとする課題】
一般に、撮像装置はＣＣＤ（Ｃｈａｒｇｅ  Ｃｕｏｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等がパッケージ内に実装され，その撮像素子上の受光面に対向する位置に結像レンズを配置した構成である。しかし、この受光面と結像レンズとの距離、即ち焦点距離は光学的な法則に支配されるため、特殊な構造のレンズを用いない限り、撮像装置の薄型化はその焦点距離以下にはできない。特殊な構造のレンズは、例えば光学系に少なくとも一つの反射面を設けて撮像装置内の光路を折り曲げて焦点距離を確保し、レンズから撮像素子表面までの高さを小さくすることができる。しかし、かかる特殊な光学部品は設計が困難で、また光路の折り曲げにより光量が減衰するため、折り返し回数に比例して明るさが暗くなり、撮像装置としての性能が低下するといった課題があった。また、従来の撮像装置は、プリズムミラー等を反射面に用いるために部品コストが高くなり、高価な撮像装置となって携帯電話機としてのコスト高になるほか、撮像装置自体の薄型化も困難であるという課題もあった。
【０００４】
また、図１７に示したような従来の撮像装置は、携帯電話の回路基板の表裏にいずれかの面とその面に対向する携帯電話の外形ケースにより構成される空間部に搭載されるため、携帯電話機の外形厚みが大きくなり，撮像装置の搭載部分の形状を不規則に大きくする等の携帯電話機の全体的な外形デザインに対する影響もある。逆に、撮像装置の搭載部における携帯電話機の厚みを基準に携帯電話機の外形デザインを設計すると、携帯電話機全体の厚みが分厚くなり、携帯電話機の小型化・薄型化ができないといった課題もあった。また、従来の撮像装置搭載携帯電話機では、撮像装置の撮像方向をその撮像装置が搭載される回路基板面と直交する法線方向としたため、同一回路基板面に搭載される液晶表示部の表示方向と平行な方向にしか搭載できなかった。このような場合に、ユーザが自己の自画像を撮像するときに、撮像装置のレンズ部を見る視線と液晶表示部を見る視線とが異なるため、ユーザが表示させたい映像と液晶表示部に映し出される映像とが異なるといった操作性にも課題があった。
【０００５】
さらに、上記のような自画像以外の風景等を撮像する場合に、デジタルカメラのように撮像した画像を液晶表示部に映し出しながら使用をするが、撮像装置は回路基板に対して撮像方向を法線方向になるようにしか搭載することができないため、液晶表示部に風景画等を表示させて使用をするとき、回路基板の反対側に搭載することになり、携帯電話機のデザインとしての制約が発生する等の課題もあった。
そこで、この発明はかかる課題を解消するためになされたもので、撮像装置搭載部分を不規則な外形デザインにすることなく、撮像装置を搭載した小型化・薄型化を実現し得る新規な構成の撮像装置搭載携帯電話機を提供することを目的とする。
【０００６】
【課題を解決するための手段】
請求項１に係る撮像装置搭載携帯電話機は、隣り合う第１及び第２の前面開口部を形成した携帯電話機用ケースと、この携帯電話機用ケース内に収納され、前記第１の前面開口部に対応して開口部を設けた回路基板と、前記第２の前面開口部に対応した前記回路基板上に載置された液晶表示部と、外部から彩光した映像を結像するレンズ及びこのレンズにより結像した光を電気信号に変換する撮像素子を有し、前記開口部に挿入させて前記レンズを前記第１の前面開口部に臨ませた撮像装置と、この撮像装置の撮像方向を前記液晶表示部の側に傾斜させて前記撮像装置を前記回路基板に電気的に接続したリード部とを備えたものである。
【０００７】
請求項２に係る撮像装置搭載携帯電話機は、前記リード部は、前記撮像装置の前記液晶表示部側とこれの反対側とにそれぞれ設けられ、前記液晶表示部の側におけるその長さを前記反対側におけるそれよりも短くした請求項１に記載のものである。
【０００８】
請求項３に係る撮像装置搭載携帯電話機は、前記回路基板の端部に前記開口部を設けた請求項１に記載のものである。
【００１０】
請求項１に係る撮像装置搭載携帯電話機は、携帯電話機用ケースと、この携帯電話機用ケース内に収納された液晶表示部と、前記携帯電話機用ケース内に収納され、切り欠き部を形成した回路基板と、この回路基板の前記切り欠き部に装着され、外部から彩光した映像を光電変換する撮像装置と、この撮像装置を回動可能に前記回路基板に支持された回動機構部と、前記撮像装置と前記回路基板とを電気的に接続したリード部とを備え、前記回動機構部により前記液晶表示部に対する前面側から後面側まで撮像するようにしたものである。
【００１１】
請求項２に係る撮像装置搭載携帯電話機は、前記回動機構部は、前記撮像装置に固定された回動機構軸とこの回動機構軸を枢支する回動機構軸受けとを有する請求項１に記載のものである。
【００１２】
請求項３に係る撮像装置搭載携帯電話機は、前記液晶表示部に対する前面側と後面側との間の所定位置で前記撮像装置を保持する保持手段を備えた請求項２に記載のものである。
【００１６】
【発明の実施の形態】
実施の形態１．
以下、この発明の実施の形態１に係る撮像装置搭載携帯電話機の構成について、図１を用いて説明する。図１は実施の形態１に係る撮像装置搭載携帯電話機の構成を示す部分断面図である。図１において、１はＣＣＤやＣＭＯＳ等により構成された撮像装置、２は携帯電話機の回路基板（マザーボード）で、撮像装置１を嵌め込む開口部を有し、リード部により撮像装置１を支持している。３は携帯電話機のフロントケースで、撮像装置１の前面開口部３ａを設けている。撮像装置１のレンズは前面開口部３ａを臨んで、フロントケース３の内部に配置している。４はリアケース、５は液晶表示部で、撮像装置１の隣の回路基板２上に載置している。撮像装置１は回路基板２の開口部に挿入し、実装する。図１に示すように、撮像装置１の下部は回路基板２より下方のリアケース４付近に、撮像装置１のレンズは前面開口部３ａ付近になるように配置している。したがって、実施の形態１では、撮像装置１は回路基板１の開口部に挿通して搭載する構成であるため、携帯電話機のフロントケース３及びリアケース４の基調を損ねることなく携帯電話機の外形デザインを構築することができる。
【００１７】
図２（Ａ）（Ｂ）は、実施の形態１における図１の撮像装置搭載部を部分拡大した部分断面図である。図２（Ａ）（Ｂ）において、１０１は撮像素子、１０１ａは撮像素子１０１上に形成された受光センサ、１０２は撮像装置１の筐体を兼ねるレンズ鏡筒部、１０３はレンズ鏡筒部１０２に支持されたレンズ、１０４は撮像素子１０１を動作させるための入出力信号用のリード部で、撮像装置１に固定されている。２は携帯電話機の回路基板であり、撮像装置１のリード部１０４と電気的に接続している。２０１は撮像装置１を回路基板２に搭載するため、回路基板２に形成した開口部である。図２（Ｂ）に示す矢印６の方向から撮像装置１に入射した光は、レンズ１０３により結像されて受光センサ１０１ａにより受光される。受光センサ１０１ａにより光電変換された電気信号は、リード部１０４から回路基板（マザーボード）２側へと出力される。なお、図１及び図２では光学部分のみを図示し、撮像素子１０１の電気的接続法については図示説明を省略した。撮像素子１０１の実装方法については、フェースダウンによる方法について述べたが、図１８に示したように撮像装置１を回路基板２上にダイボンド実装、ワイヤボンド実装により電気的に接続してもよい。
【００１８】
携帯電話搭載用の撮像装置１は、小型化・低コスト化のために固定焦点のレンズ１０３をレンズ鏡筒部１０２と一体的に組み立てる。レンズ１０３の光学的中心から撮像素子１０１の受光センサ１０１ａまでの焦点距離は、光学設計により支配され光学的な設計値以下には小型化は困難である。ここで、光学的な設計値とは、要求される画像サイズ、撮像素子１０１上の画素サイズ及びレンズの画角等による撮像装置１の要求仕様に基づく値である。その焦点距離は、受光センサ１０１ａの一つ一つの画素を小さくした、例えば受光エリアが１／７インチサイズの撮像素子１０１を用いて、ＱＣＩＦ（Ｑｕａｒｔｅｒ  Ｃｏｍｍｏｍ  Ｉｎｔｅｒｍｅｄｉａｔ  Ｆｏｒｍａｔ；１７６×１４４画素）相当の画像サイズの光学設計を行う場合でも、２ｍｍ程度必要である。また、各画素の受光部開口角が大きい場合、即ち各画素サイズが大きい高感度の、例えば１／４インチサイズの撮像素子を用いた場合では、焦点距離は５ｍｍ以上にもなって撮像装置１の小型化に与える影響は大きい。
【００１９】
しかしながら、実施の形態１では、前述のような光学設計により支配される撮像装置の焦点距離方向の寸法制限を撮像装置１の回路基板２への搭載構造により吸収し、携帯電話機としての小型化・薄型化を可能とすることができる。また、実施の形態１によれば、携帯電話機の厚み方向に注目した場合に、携帯電話機の回路基板２に開口部２０１を設け、この開口部２０１に撮像装置１を搭載するため、撮像装置１の焦点距離の一部が回路基板２の厚み内に含まれるように搭載することができる。したがって、従来のように回路基板２の表裏のいずれかに撮像装置を表面実装した場合には、撮像装置の搭載部における携帯電話機の厚みとしては（焦点距離＋回路基板の厚み）が必ず含まれていたが、実施の形態１では回路基板２に設けた開口部２０１に撮像装置１を挿入して搭載するため、携帯電話機の厚みとしては焦点距離のみの厚みとすることができ、薄膜化を実現することができる。
【００２０】
また、従来のように撮像装置１を回路基板２の表裏のいずれかに表面実装された場合には、撮像装置１を搭載した回路基板２の反対面と携帯電話のケースとの間には不使用の空間部が生じていた。しかし、実施の形態１では、図１に示すように回路基板２とリアケース４との間の空間部を撮像装置１の搭載スペースに利用している。このため、携帯電話機の小型化・薄型化を図ることができる。なお、実施の形態１では、図３（Ａ）（Ｂ）に示すように撮像装置１を回路基板２に設けた開口部２０１に搭載したものを例示したが、実施の形態１ではこれに限るものではない。例えば、図４（Ａ）（Ｂ）に示すように携帯電話機の回路基板２に切り欠き部２０１ａを形成し、この切り欠き部２０１ａに撮像装置１を搭載しても同様の効果を奏する。この切り欠き部２０１ａは、図４（Ａ）に示すように回路基板２の先端部のやや片寄り部を切り欠いたものや、図４（Ｂ）に示すように回路基板２の先端部の隅部を切り欠いたものである。これは、撮像装置１のレンズ１０３を携帯電話機のフロントケース３のどの位置に取付けるかにより切り欠き部２０１ａを変更すればよい。
【００２１】
また、撮像装置１の入出力信号部は、リードパターンのものについて説明したが、ＦＰＣ（Ｆｌｅｘｉｂｌｅ  Ｐｒｉｎｔｅｄ  Ｃｉｒｃｕｉｔ）等の他の回路基板を用いた撮像装置でも、実施の形態１と同様の構成とすることができる。したがって、実施の形態１及び後述する実施の形態では、撮像装置１の電気回路基板の種類に限定されるものではない。したがって、リード部は、リードパターンのもののほか、ＦＰＣなど他の回路基板のものも含む広い概念のものとする。もっとも、図３（Ａ）（Ｂ）に示すように回路基板２に形成する開口部２０１を４角形状とすることにより、撮像装置の搭載部における４周囲に配線することができ，回路基板の設計上有利になる。また、実施の形態１では、撮像装置１を開口部２０１に挿入して仮組立てをすることができるため、その開口部２０１が撮像装置１の搭載位置のガイド的な効果を発揮して製品の取扱い・装置化が容易となるという効果をも奏する。
【００２２】
実施の形態２．
次に、実施の形態２について、図５，図６及び図７を用いて説明する。図５及び図６は、撮像装置１の側面図である。図７（Ａ）（Ｂ）は、実施の形態２に係る撮像装置搭載携帯電話機の部分側面断面図である。これらの図において、１０２はレンズ鏡筒部、１０３はレンズ、１０４は撮像装置１の鏡筒部１０２から引出され、図７（Ａ）に示すように屈曲させた信号入出力用のリード部、１０４ａは半田付け面で、リード部１０４を回路基板２上に電気的に接続した面（部分）である。半田付け面１０４ａは、回路基板２の下側に接続するようにレンズ１０３側に向いて設けている。これに対して従来における撮像装置は、図６に示すようにレンズ１０３と反対側に向いて構成されている。なお、４は携帯電話機のリアケースである。また、図７（Ａ）（Ｂ）において、図７（Ａ）に示すように、撮像装置１は回路基板２の開口部２０１に挿入する方向に搭載され、回路基板２に対する電気的な接続面は、リード部１０４の半田付け面１０４ａと対向する面であるため、撮像装置１のレンズ３側から（即ち、図７（Ａ）の上方から）みたとき、回路基板２の裏側（図７（Ａ）の下側）で接続する。
【００２３】
一方、従来における撮像装置搭載携帯電話機では、撮像装置の回路基板に対する搭載方向は、図７（Ｂ）に示す矢印方向であり、撮像装置はレンズ１０３側（図７（Ｂ）の上方）からみた場合に、回路基板２の表側に搭載され、その面で電気的に接続される。このように、従来では回路基板２に開口部２０１を設けて素の開口部２０１に撮像装置を挿入して搭載しようとしても、電気的な接続はできなかったが、実施の形態２では撮像装置１を回路基板２の開口部２０１に挿入して搭載し、レンズ１０３側からみて回路基板２の裏側で接続することができる。また、従来の撮像装置搭載携帯電話機では、回路基板２の裏側とリアケース４との間に不使用の空間部が形成され、その空間部の大きさは携帯電話機の機種やメーカにより様々であった。
【００２４】
しかしながら、その空間部の大きさが様々であっても、実施の形態２ではその空間部を有効に利用することができる。図８（Ａ）（Ｂ）は、実施の形態２に係る撮像装置搭載携帯電話機の部分断面図である。図８（Ａ）（Ｂ）に示すように、上記の不使用の空間部を有効に利用するため、リード部１０４のフォーミング形状で対応する。即ち、上記不使用の空間部が小さい場合には、図８（Ａ）に示すようにリード部１０４のフォーミング形状を短くする。一方、上記不使用の空間部が大きい場合には，図８（Ｂ）に示すようにリード部１０４のフォーミング形状を長くする。こうして、回路基板２とリア側ケースとの間における不使用の空間部を機種に応じて効果的に利用することができ、携帯電話機の小型化・薄型化を実現しうる。なお、ここでは撮像装置１の撮像方向がフロント側ケースの方向における被写体を撮像する場合について説明したが、その撮像方向がリア側ケースの方向における被写体を撮像する場合にも同様の構成とすることができる。
【００２５】
実施の形態３．
次に、実施の形態３について、図９を用いて説明する。図９は、実施の形態３に係る撮像装置搭載携帯電話機の部分断面図である。図９において、１０２はレンズ鏡筒部、１０３はレンズ、１０４は信号入出力用のリード部である。撮像装置１の両側にリード部１０４，１０４を設けるが、一方のリード部１０４は回路基板２の裏面側に接続する部分が上方に傾かせ、他方のリード部１０４のそれは下方に傾かせている。即ち、図９に示すように撮像装置１を回路基板２に搭載したときに、撮像装置１の撮像方向が回路基板２の平面に対して所定角度になるようにリード部１０４の形状をフォーミングしたものである。更に、図１０及び図１１を用いて説明する。図１０及び図１１は、撮像装置搭載携帯電話機をユーザが使用する際の視線を示した説明図である。図１０及び図１１において、１は撮像装置、２は携帯電話機用の回路基板、３は携帯電話機用のフロントケース、３ａはフロントケース３に形成した撮像装置用の前面開口部、５は液晶表示装置、３ｂは液晶表示装置用の前面開口部、７はユーザの眼を示す。
【００２６】
さて、図１０に示すように撮像装置１を回路基板２に搭載した場合に、撮像装置１の撮像方向が回路基板２の平面に対して法線方向（垂直方向）であるときに、ユーザの眼７の位置から矢印方向を見ると、撮像装置１の撮像方向と液晶表示装置５の表示方向とが平行になるため、撮像装置１により撮像した自画像を液晶表示装置５の中央部に位置させるのが困難となる。しかしながら、実施の形態３では、図１１に示すように撮像装置１を回路基板２に搭載した場合に、撮像装置１の撮像方向が回路基板２の平面に対して所定角度をなすように撮像装置１のリード部１０４を図９に示すように構成しているので、ユーザの眼７の位置から図１１に示す矢印方向で見ると、撮像装置１の撮像方向と液晶表示装置５の表示方向とが交わる位置からそれぞれを見ることができるため、容易に撮像装置１により撮像された自画像を液晶表示装置５の中央部に位置することができる。なお、携帯電話機に搭載する撮像装置１の撮像方向は、液晶表示装置と同一方向とは限らないが、実施の形態３のように同一方向に搭載される場合の撮像装置搭載携帯電話機の代表的な使用例の一つとして，テレビ電話的な使用があり、その使用方法においてユーザが自画像を撮像し，それを液晶の中央部に表示することは重要であり，その操作性は携帯電話機の性能の一つである。
【００２７】
実施の形態４．
次に，実施の形態４について、図１２、図１３を用いて説明する。図１２（Ａ）（Ｂ）は、それぞれ実施の形態４に係る撮像装置搭載携帯電話機のフロントケースを取外した状態の正面図及び側面図である。図１２（Ａ）において、１は撮像装置、２は回路基板、３ａは携帯電話機のケースに形成された撮像装置用の前面開口部、４はリアケース、５は液晶表示装置である。撮像装置１は回路基板にＦＰＣ（Ｆｌｅｘｉｂｌｅ  Ｐａｔｔｅｒｎ  Ｃｉｒｃｕｉｔ）を使用する。図１２（Ｂ）において、１０５は信号入出力用のＦＰＣ、１０６は撮像装置１を回路基板２に電気的に接続するためのコネクタである。図１３（Ａ）（Ｂ）は、それぞれ実施の形態４に係る撮像装置搭載携帯電話機の撮像方向について説明するための平面図である。なお、図１３に示す符号は、図１２の場合と同様であるため説明を省略する。前述の実施の形態３では撮像装置１の撮像方向は液晶表示部と対向する方向の被写体を撮像するように構成したが、実施の形態４ではその撮像方向は図１３（Ｂ）に矢印で示すように回路基板２の平面方向と同一の平面方向の被写体を撮像するように構成している。
【００２８】
一般に、撮像装置１のレンズは、その撮像素子と対向配置され、回路基板２の表裏のいずれかの面に電気的に接続して搭載される。したがって、図１３（Ｂ）に示すように回路基板２の平面方向と同一の平面方向の被写体を撮像するように撮像装置１を搭載することは困難である。このため、実施の形態４では、回路基板２に切り欠き部を形成し、その切り欠き部に撮像装置１を搭載することにより、撮像装置１の光軸方向と回路基板２の平面方向とが同一になるように構成したものである。なお、実施の形態４では、撮像装置１の光軸方向と回路基板２の平面方向とが同一方向になるように構成したが、必ずしも同一でなくてもよく、略同一方向を撮像装置１の撮像方向としたい場合でも適用可能である。また、撮像装置１の光軸方向と回路基板２の平面方向を同一方向に限定するものでもなく、所望の角度をなしていてもよい。
【００２９】
実施の形態５．
次に、実施の形態５について、図１４、図１５及び図１６を用いて説明する。図１４（Ａ）（Ｂ）は、実施の形態４に係る撮像装置搭載携帯電話機の構成を説明するための平面図である。図１４において、３はフロントケース、１０３はレンズ、５は液晶表示装置、８は撮像装置１の回動機構部である。撮像装置１は回動機構部８により回動可能に構成している。したがって、図１４（Ａ）に示すように撮像装置１は正面方向を向き、図１４（Ｂ）に示すように上方向を向いている。図１５（Ａ）（Ｂ）及び図１６（Ａ）（Ｂ）は、それぞれ実施の形態５に係る撮像装置１を回動させる動作について説明するための平面図及び側面図である。図１５及び図１６において、８０１は回動機構軸、８０２は回動機構軸受けである。撮像装置１は回動機構軸８０１に固定し、回動機構軸８０１は回動機構軸受け８０２に枢支されている。
【００３０】
一般に、撮像装置搭載携帯電話機の使用方法としては、大きく２つの用途が予想される。一つは自画像を撮像してその画像を種々の目的に使用して楽しむ用途、もう一つは自画像以外の風景等をスチルカメラのように撮像して楽しむ用途が考えられる。いずれの場合にも、撮像した画像情報を液晶表示部に表示して使用するが、図１３（Ａ）に示す場合には撮像装置１は液晶表示装置の表示方向と同一方向の撮像を行うように取付けられているため、自画像を撮像するときには液晶表示部に映し出された撮像画像を確認しながらの操作性に優れている。しかし、風景等を撮像する場合には、撮像装置１を撮像方向に向けた状態ではユーザ側から液晶表示部を通して撮像画像状態が確認しにくいため、操作性が悪い。
【００３１】
逆に、図１３（Ｂ）に示すような場合には、撮像装置１は液晶表示部の表示方向と異なる方向の撮像を行うように取付けられているため、風景等を撮像するときに液晶表示部に映し出された撮像画像を確認しながらの操作性に優れているが、自画像を撮像する場合には撮像装置を撮像方向に向けた状態ではユーザ側から液晶表示部を通して撮像画像状態が確認しにくいため、操作性が悪い。そこで、かかる不都合を解消するため、実施の形態５では回動機構８を設け、撮像装置１を撮像したい方向に自由に向けられるようにすればよい。しかし、そのためには、機構部の構造が必要になり、回動させるための空間も必要になり、携帯電話機の形状が大型化する。
【００３２】
実施の形態５によれば、回路基板２上の撮像装置搭載部に切り欠き部２０１ａを設け、その部分で撮像装置１を回動させる構成とした。この実施例としては、特に回路基板２の隅部に切り欠き部２０１ａを形成した。このように回路基板２に切り欠き部２０１ａを形成することにより、携帯電話本体の外形サイズを大型化することなく、全方向の撮像が可能な撮像装置搭載携帯電話機を得ることができる。なお、撮像装置１を任意の位置で保持するため、回動機構部８に図示しない歯車や摩擦機構等を回動機構部８に付加的に用いて所定位置に支持するように構成してもよい。
【００３３】
【発明の効果】
以上のようにこの発明によれば、撮像装置を回路基板に形成した開口部に搭載するように構成したので、撮像装置搭載携帯電話機の形状を小型化・薄型化することができるという効果を奏する。
また、この発明によれば、撮像装置を回路基板に形成した切り欠き部に装着して、回動機構部を有するため、液晶表示部の前面側から後面側までの任意の画像を自由に撮像することができる撮像装置搭載携帯電話機を得ることができるという効果をも奏する。
【図面の簡単な説明】
【図１】実施の形態１に係る撮像装置搭載携帯電話機の構成を示す部分断面図である。
【図２】図１における撮像装置搭載部を部分拡大した拡大断面図である。
【図３】実施の形態１における回路基板２の開口部２０１に撮像装置１を搭載した構成図である。
【図４】実施の形態１における回路基板２に設けた切り欠き部２０１ａに撮像装置１を搭載した構成図である。
【図５】実施の形態２における撮像装置１の側面図である。
【図６】実施の形態２における撮像装置１の側面図である。
【図７】実施の形態２に係る撮像装置搭載携帯電話機の部分側面断面図である。
【図８】実施の形態２に係る撮像装置搭載携帯電話機の部分断面図である。
【図９】実施の形態３に係る撮像装置搭載携帯電話機の部分断面図である。
【図１０】実施の形態３に係る撮像装置搭載携帯電話機をユーザが使用する際の視線を示した説明図である。
【図１１】実施の形態３に係る撮像装置搭載携帯電話機をユーザが使用する際の視線を示した説明図である。
【図１２】実施の形態４に係る撮像装置搭載携帯電話機のフロントケースを取外した状態の正面図及び側面図である。
【図１３】実施の形態４に係る撮像装置搭載携帯電話機の撮像方向について説明するための平面図である。
【図１４】実施の形態４に係る撮像装置搭載携帯電話機の構成を説明するための平面図である。
【図１５】実施の形態５に係る撮像装置１を回動させる動作について説明するための平面図及び側面図である。
【図１６】実施の形態５に係る撮像装置１を回動させる動作について説明するための平面図及び側面図である。
【図１７】従来の撮像装置搭載携帯電話機の部分正面図及び側面断面図である。
【図１８】従来の撮像装置１の構成を示す断面図である。
【符号の説明】
１…撮像装置、１０１…撮像素子、１０１ａ…受光センサ部、１０２…レンズ鏡筒部、１０３…レンズ、１０４…リード部、１０５…ＦＰＣ、１０６…コネクタ、２…回路基板、２０１…開口部、２０１ａ…切り欠き部、３…フロントケース、４…リアケース、５…液晶表示部、８…回動機構部、８０１…回動機構軸、８０２…回動機構軸受け
【図１】
0003630096.tif 000002
【図２】
0003630096.tif 000003
【図３】
0003630096.tif 000004
【図４】
0003630096.tif 000005
【図５】
0003630096.tif 000006
【図６】
0003630096.tif 000007
【図７】
0003630096.tif 000008
【図８】
0003630096.tif 000009
【図９】
0003630096.tif 000010
【図１０】
0003630096.tif 000011
【図１１】
0003630096.tif 000012
【図１２】
0003630096.tif 000013
【図１３】
0003630096.tif 000014
【図１４】
0003630096.tif 000015
【図１５】
0003630096.tif 000016
【図１６】
0003630096.tif 000017
【図１７】
0003630096.tif 000018
【図１８】
0003630096.tif 000019